(57)【要約】【課題】  昇圧トランス９０２は内部にコイルなどの磁気回路を有するものであり、回路部品としては比較的外形が大きい。そのため、カム筒の外側に昇圧トランスを配置すると、レンズ鏡筒は、大型化してしまう問題がある。【解決手段】  そこで、本発明のレンズ鏡筒１０１は、カム筒１０８の内周側に配置され且つアクチュエータ５０７の電源を構成する昇圧トランス９０２と、を備え、  昇圧トランス９０２は、鏡筒の側面５００ａに配置され、昇圧トランス９０２は、カム筒１０８の回転に応じて鏡筒とともに光軸方向に移動することを特徴とする。【選択図】  図５
2020144278.tif 000002
【特許請求の範囲】
【請求項１】
撮像素子に被写体像を結像させる撮像光学系と、前記撮像光学系を構成する第１のレンズを駆動するために前記撮像光学系の光軸を中心として回転可能なカム筒と、前記第１のレンズを保持し且つ前記カム筒とカム係合し且つ前記カム筒の内周側に配置される鏡筒と、前記カム筒の内周側に配置され且つアクチュエータの電源を構成する回路部品と、を有するレンズ鏡筒であって、
前記回路部品は、前記鏡筒の側面に配置され、
前記回路部品は、前記カム筒の回転に応じて前記鏡筒とともに前記光軸方向に移動することを特徴とするレンズ鏡筒。
【請求項２】
前記撮像光学系の焦点距離が望遠側に向かう従って、前記回路部品と前記撮像素子との前記光軸方向の距離が長くなることを特徴とする請求項１に記載のレンズ鏡筒。
【請求項３】
前記カム筒と前記鏡筒との間に配置され、前記第１のレンズが前記光軸方向に移動するために、前記第１のレンズの回転を抑制する案内筒と、前記回路部品に電気接続し且つ配線が重畳する重畳部を有するフレキシブル基板と、を備え、
前記重畳部は、前記レンズ鏡筒の径方向について前記鏡筒と前記案内筒との間に配置される請求項１又は２に記載のレンズ鏡筒。
【請求項４】
前記カム筒と前記鏡筒とを連結するカムピンを備え、前記回路部品は、前記レンズ鏡筒の周方向について前記カムピンと異なる位相に配置される請求項１乃至３の何れか一項に記載のレンズ鏡筒。
【請求項５】
前記アクチュエータは、第２のレンズを前記光軸方向に駆動しており、
前記第２のレンズは、フォーカスレンズであり、前記第１のレンズは、ズームレンズである請求項１乃至４の何れか一項に記載のレンズ鏡筒。
【請求項６】
前記回路部品は、前記光軸方向に進退する範囲内において少なくとも一部が常に前記カム筒の内周側に配置される請求項１乃至５の何れか一項に記載のレンズ鏡筒。
【請求項７】
前記回路部品は、振動波モータの電源を構成する回路部品である請求項１乃至６の何れか一項に記載のレンズ鏡筒。
【請求項８】
前記振動波モータは、超音波モータである請求項７に記載のレンズ鏡筒。
【請求項９】
前記撮像光学系の焦点距離が長くなるに従って、前記回路部品と前記撮像素子との前記光軸方向の距離が長くなることを特徴とする請求項１乃至８の何れか一項に記載のレンズ鏡筒。
【請求項１０】
前記レンズ鏡筒は、前記撮像素子を有するカメラ本体に挿脱可能な交換レンズであり、
前記レンズ鏡筒は、前記レンズ鏡筒に電圧を供給するために前記カメラ本体に配置されたカメラ側端子に電気接続されるレンズ側端子と、前記レンズ側端子の一端が電気接続されるコネクタ部が実装される第１の基板と、を備え、
前記光軸方向について前記レンズ鏡筒のマウント部より被写体側に配置される第１の基板と、を備え、
前記回路部品は、前記光軸方向について最も像面側に位置する場合、前記第１の基板よりも物体側に位置することを特徴とする請求項１乃至９の何れか一項に記載のレンズ鏡筒。
【請求項１１】
請求項１乃至１０の何れか一項に記載のレンズ鏡筒と、前記撮像素子を有するカメラ本体と、を有する撮像装置。
【発明の詳細な説明】
【技術分野】
【０００１】
本発明は、鏡筒内に電源を構成する回路部品を有するレンズ鏡筒に関する。特に、デジタルスチルカメラ、デジタルビデオカメラ、等の撮像装置に適用されるレンズ鏡筒に関する。
【背景技術】
【０００２】
デジタルカメラ、ビデオカメラおよび交換レンズ等の光学機器には、オートフォーカス機能の高速化や静粛性を実現するために、超音波モータが搭載されることがある。
【０００３】
超音波モータの駆動電源には、供給される電圧を昇圧し、超音波モータに所望の交流電圧を印加する回路部品（以下、昇圧トランスという）が必要となる。
【０００４】
一方、昇圧トランスからの漏れ磁束は、磁気ノイズの原因となる。そして、磁気ノイズは、撮像信号と重畳して画質を劣化させることがあった。
【０００５】
そのため、こうした光学機器では、搭載される撮像素子の高感度化、高画質化に伴い、磁気ノイズの低減が求められている。
【０００６】
特許文献１には、制御部やスイッチング部が実装された保持基板とは異なる位置に昇圧部を配置し、振動アクチュエータと近づける駆動装置が開示されている。
【０００７】
この構成によれば、昇圧部と振動アクチュエータとの間に流れる高電圧の駆動信号の配線を短くすることができ、漏れ磁束による影響を低減することが可能となる。
【先行技術文献】
【特許文献】
【０００８】
【特許文献１】特開２０１３−１７９７８７号公報
【発明の概要】
【発明が解決しようとする課題】
【０００９】
しかしながら、特許文献１に開示された構成では、被駆動体であるカム筒の外側に振動アクチュエータの駆動電源として必要な昇圧トランスを配置している。
【００１０】
一般的に、昇圧トランスは、内部にコイルなどの磁気回路を有するものであり、回路部品としては比較的外形が大きい。そのため、カム筒の外側に昇圧トランスを配置すると、光学機器は、大型化してしまう恐れがある。
【００１１】
本発明は、上記課題に鑑みて、電源を構成する回路部品を、カム筒の回転に応じて移動する鏡筒の側面に配置できるようにしたレンズ鏡筒を提供する。
【課題を解決するための手段】
【００１２】
上記目的を達成するために、本発明のレンズ鏡筒は、撮像素子に被写体像を結像させる撮像光学系と、前記撮像光学系を構成する第１のレンズを駆動するために前記撮像光学系の光軸を中心として回転可能なカム筒と、前記第１のレンズを保持し且つ前記カム筒とカム係合し且つ前記カム筒の内周側に配置される鏡筒と、前記カム筒の内周側に配置され且つアクチュエータの電源を構成する回路部品と、を有するレンズ鏡筒であって、
前記回路部品は、前記鏡筒の側面に配置され、前記回路部品は、前記カム筒の回転に応じて前記鏡筒とともに前記光軸方向に移動することを特徴とする。
【発明の効果】
【００１３】
本発明によれば、カム筒の内周において、鏡筒の側面にアクチュエータの駆動電源を構成する回路部品を配置することができる。これにより、レンズ鏡筒の小型化を実現することができる。
【図面の簡単な説明】
【００１４】
【図１】本発明の実施例である交換レンズおよびデジタルカメラ１の斜視図である。
【図２】実施例の交換レンズ１０１およびデジタルカメラ１の構成を示すブロック図である。
【図３】実施例の交換レンズ１０１の断面図（繰り込み状態）である。
【図４】実施例の交換レンズの１０１断面図（繰り出し状態）である。
【図５】実施例の交換レンズ１０１の要部分解斜視図である。
【図６】実施例の交換レンズ１０１の要部側面図である。
【図７】実施例の交換レンズ１０１の要部光軸断面図である。
【図８】（ａ）ズーム広角端における要部側面図である。（ｂ）ズーム望遠端における要部側面図である。
【図９】本実施例のフレキシブルプリント配線板９０１を説明する斜視図である。
【図１０】本実施例のフレキシブルプリント配線板９０１を説明する斜視図である。
【図１１】本実施例のフレキシブルプリント配線板９０１を説明する斜視図である。
【図１２】本実施例のフレキシブルプリント配線板９０１を説明する斜視図である。
【発明を実施するための形態】
【００１５】
以下、本発明の実施例について図面を参照しながら説明する。各図面を通して同一符号は、同一または対応部分を示すものである。
【００１６】
尚、本発明は、本実施例の構成のみに限定されるものではなく、その要旨の範囲内で種々の変形および変更が可能である。
【００１７】
図１は、本発明の実施例である交換レンズ（レンズ鏡筒、光学機器）１０１と交換レンズ１０１が着脱可能に装着されるデジタルカメラ（以下、カメラ本体という）１の外観を示す斜視図である。
【００１８】
交換レンズ１０１のマウント部とカメラ本体１のマウント部とが装着可能とするために、レンズ側マウント部１０２、カメラ側マウント部７に係合爪が形成されている。
【００１９】
図１に示すように、交換レンズ１０１が収容する撮像光学系の光軸が延びる光軸方向をＸ軸方向とし、これに直交する方向をＺ軸方向（水平方向）およびＹ軸方向（垂直方向）とする。
【００２０】
以下、Ｚ軸方向とＹ軸方向をまとめてＺ／Ｙ軸方向とも記す。
【００２１】
また、Ｚ軸回りの回転方向をピッチ（Ｐｉｔｃｈ）方向とし、Ｙ軸回りの回転方向をヨー（Ｙａｗ）方向とする。ピッチ方向とヨー方向（以下、まとめてピッチ／ヨー方向とも記す）は、互いに直交するＺ軸とＹ軸である２軸回りでの回転方向である。
【００２２】
カメラ本体１内には、交換レンズ１０１内の撮像光学系により形成される被写体像を光電変換（撮像）する撮像素子１６が設けられている。
【００２３】
交換レンズ１０１は、レンズマウント１０２を介して、カメラ本体１に設けられたカメラマウント７に機械的および電気的に接続される。
【００２４】
前記レンズ鏡筒としての交換レンズ１０１内には、被写体からの光を結像させて被写体像を形成する撮像光学系が収容されている。
【００２５】
前記レンズ鏡筒としての交換レンズ１０１の外周には、ユーザ操作により光軸回りで回転可能なズーム操作環１０３が設けられている。
【００２６】
ズーム操作環１０３がユーザによって回転操作されると、撮像光学系を構成するズーム群がズーム操作環１０３の角度に対応した所定の光学位置へと移動する。こうしてユーザは、所望の画角での撮影が可能となる。
【００２７】
図２は、交換レンズ１０１およびカメラ本体１の電気的および光学的な構成を示すブロック図である。
【００２８】
カメラ本体１および交換レンズ１０１の全体のシステムとしての制御は、カメラ本体１に設けられたカメラ制御部１２と交換レンズ１０１に設けられたレンズ制御部１０４とがお互いに連係することによって行われる。
【００２９】
カメラ制御部１２は、記憶部１３に格納されているコンピュータプログラムを読み出して実行する。
【００３０】
その際、カメラ制御部１２は、レンズマウント１０２に設けられた電気接点１０５の通信端子を介して、レンズ制御部１０４と各種制御信号やデータ等の通信を行う。電気接点１０５は、前述した電源部１０からの電力を交換レンズ１０１に供給する電源端子を含む。
【００３１】
交換レンズ１０１が有する撮像光学系は、ズーム操作環１０３と連結し、光軸方向に移動して画角を変更するズーム群２０１と、像振れを低減する防振素子としてのシフトレンズを含むレンズ防振群３０１を有する。
【００３２】
レンズ防振群３０１は、シフトレンズを光軸に対して直交するＺ／Ｙ軸方向に移動（シフト）させて像振れを低減する防振動作を行う。
【００３３】
また、撮像光学系は、光量調節動作を行う絞り群４０１と、光軸方向に移動して焦点調節を行うフォーカスレンズを含むフォーカス群５０１を有する。
【００３４】
更に、交換レンズ１０１は、レンズ防振群３０１を駆動してシフトレンズをシフトさせる防振駆動部３０２、絞り群４０１を駆動する絞り駆動部４０２、およびフォーカス群５０１を駆動してフォーカスレンズを移動させるフォーカス駆動部５０２を有する。
【００３５】
カメラ本体１は、シャッタユニット１４、シャッタ駆動部１５、撮像素子１６、画像処理部１７および前述したカメラ制御部１２を有する。
【００３６】
シャッタユニット１４は、交換レンズ１０１内の撮像光学系で集光され、撮像素子１６で露光される光の量を制御する。
【００３７】
撮像素子１６は、撮像光学系により形成された被写体像を光電変換して撮像信号を出力する。画像処理部１７は、撮像信号に対して各種画像処理を行った後、画像信号を生成する。
【００３８】
表示部９は、画像処理部１７から出力された画像信号（スルー画像）を表示したり、前述したように撮像パラメータを表示したり、記憶部１３や不図示の記録媒体に記録された撮像画像を再生表示したりする。
【００３９】
カメラ制御部１２は、操作部１１から受けた絞り値やシャッタ速度の設定値に応じて、絞り駆動部４０２およびシャッタ駆動部１５を介して、絞り群４０１およびシャッタユニット１４の駆動を制御する。
【００４０】
また、カメラ制御部１２は、操作部１１（レリーズボタン５）における撮像準備操作（半押し操作）に応じて、フォーカス群５０１の駆動を制御する。
【００４１】
例えば、オートフォーカスの動作が指示された場合、カメラ制御部１２は、被写体像の焦点状態とフォーカス群５０１の現在位置とを比較し、そのずれ量からフォーカス駆動量を算出してレンズ制御部１０４に送信する。
【００４２】
そして、レンズ制御部１０４は、フォーカス駆動部５０２を介してフォーカス群５０１を目標位置まで駆動制御し、被写体像の焦点ずれを補正する。
【００４３】
カメラ本体１は、ユーザによる手振れ等の像振れを検出可能な振れ検出手段として、ピッチ振れ検出部１９とヨー振れ検出部２０を有する。
【００４４】
ピッチ振れ検出部１９とヨー振れ検出部２０はそれぞれ、角速度センサ（振動ジャイロ）や角加速度センサを用いて、ピッチ方向（Ｚ軸回りの回転方向）およびヨー方向（Ｙ軸回りの回転方向）の像振れを検出して振れ信号を出力する。
【００４５】
カメラ制御部１２は、ピッチ振れ検出部１９からの振れ信号を用いてレンズ防振群３０１（シフトレンズ）のＹ軸方向でのシフト位置を算出する。
【００４６】
同様にカメラ制御部１２は、ヨー振れ検出部２０からの振れ信号を用いてレンズ防振群３０１のＺ軸方向でのシフト位置を算出する。
【００４７】
そして、カメラ制御部１２は、算出したピッチ／ヨー方向のシフト位置に応じて、レンズ防振群３０１を目標位置まで駆動制御し、露光中やスルー画像表示中の像振れを低減する防振動作を行う。
【００４８】
前記レンズ鏡筒としての交換レンズ１０１は、撮像光学系の画角を変更するためのズーム操作環１０３と、そのズーム操作環１０３の角度を検出するズーム検出部１０６を有する。
【００４９】
ズーム検出部１０６は、ユーザが操作するズーム操作環１０３の角度を絶対値として検出するものであり、例えば抵抗式のリニアポテンショメータを用いて構成されている。
【００５０】
ズーム検出部１０６によって検出された画角の情報は、レンズ制御部１０４に送信され、前述したカメラ制御部１２による各種の制御に反映される。
【００５１】
次に、図３と図４を用いて、交換レンズ１０１とカメラ本体１における構成部品の位置関係について説明する。
【００５２】
図３と図４は、光軸を含むＸＹ平面上の断面図であり、ズームの繰り込み状態と繰り出し状態を示している。
【００５３】
ここで示される中心線は、撮像光学系によって決定される光軸と略一致するため、以下では光軸と同義とする。
【００５４】
本実施例は、撮像光学系の一例として六群構成を採用している。
【００５５】
画角に応じた所定の光学位置へと移動した各ズーム群は、被写体からの光を撮像素子１６の撮像面上に結像させる。
【００５６】
このとき、前述のズーム群２０１は第一のズーム群として、絞り群４０１とレンズ防振群３０１は第三のズーム群として、フォーカス群５０１は第五のズーム群として機能する。
【００５７】
更に、この撮像光学系は、第二のズーム群２０２、第三のズーム群２０３、第四のズーム群２０４、第六のズーム群２０６を備える。
【００５８】
尚、本発明はレンズ群の構成を限定するものではなく、例えばレンズ防振群３０１やフォーカス群５０１は、第二のズーム群として機能するものであっても良い。
【００５９】
また、一部のレンズ群が移動可能ではなく、固定されたものであっても構わない。
【００６０】
図５、図６および、図７を参照してフォーカス群ユニット５５０の構成を説明する。図５は、フォーカス群ユニット５５０を示す分解斜視図であり、構成部品の一部を分解して、斜め前方から見て示している。
【００６１】
図６はフォーカス群ユニット５５０の側面図である。
【００６２】
フォーカス群ユニット５５０は、鏡筒５００と、その内部に収納されるフォーカス群５０１を備える。
【００６３】
鏡筒５００の上面には、フォーカス駆動部５０２の一部を構成するアクチュエータとして、超音波モータの一種である直動型振動波モータ（以下、振動波モータという）５０７が搭載されている。
【００６４】
振動波モータ５０７は、光軸方向に長軸を有し、レンズ制御部１０４からの指示により、不図示の連結部材を介してフォーカス群５０１を光軸方向に移動させる。
【００６５】
振動波モータ５０７は、振動子を有する可動部５０８と、摩擦部材を有する固定部５０９とで構成される。
【００６６】
振動子は、摩擦接触部を備えた振動板と、その振動板の裏面に接着剤等で固定された圧電素子とで構成される。
【００６７】
振動板は、摩擦接触部において、摩擦部材と加圧されて接触している。圧電素子に二相の交流電圧を印加すると、超音波領域の周波数の振動（超音波振動）が励振される。
【００６８】
その結果、振動子に共振現象が起こり、振動子が変形して摩擦接触部に楕円運動が発生する。こうして、レンズ制御部１０４は、フォーカス群５０１を目標位置まで駆動させる。
【００６９】
フォーカス駆動部５０２は、駆動パルスを発生させ、この駆動パルスによって回路のスイッチングを行う。
【００７０】
昇圧トランス９０２は、レンズ制御部１０４に供給される電圧よりも高い電圧を出力する回路部品であり、フォーカス駆動部５０２の電源を構成する回路の一部である。
【００７１】
尚、本発明は、昇圧トランス９０２の用途を限定するものではなく、レンズ群を駆動するアクチュエータの一例としてステッピングモータの電源を構成する回路の一部であっても構わない。
【００７２】
また、本実施例において、回路部品を昇圧トランスとしているが、電源を構成する回路部品であればこれに限定されない。例えば、交換レンズ１０１の外観面において液晶モニタ等を配置する場合、この液晶モニタの表示のための電源を構成する回路部品であっても良い。
【００７３】
鏡筒５００は、カム筒１０８の内周側に配置され、カム筒１０８の内径に沿った略円筒形状となっている。
【００７４】
昇圧トランス９０２は、鏡筒５００の側面５００ａにおいて、鏡筒５００から外周側に突出しないように配置されている。
【００７５】
昇圧トランス９０２は、フレキシブル基板としてのフレキシブルプリント配線板９０１を介して電力を供給されると、内部に有するコイルの巻軸方向に磁束を発生させる。
【００７６】
撮像素子１６が撮像信号を生成し出力する過程においてこうした磁束が発生すると、その変動が磁気ノイズとして撮像信号に重畳し、画質を劣化させることがある。
【００７７】
より詳細には、磁気ノイズが撮像素子１６に到達すると、撮像信号を取り出す画素電荷情報の信号線を高周波で変化させる磁界が貫通する。
【００７８】
これにより、信号線内で電磁誘導による磁気が発生してしまい、その結果、画素電荷情報の信号線にノイズが発生することになる。
【００７９】
図７は図６に示される光軸１０１ａに直交する図６の断面図である。直進案内筒１０７は、不図示の固定筒を介してレンズマウント１０２に固定される固定部品である。
【００８０】
直進案内筒１０７の外周面には、等分位置に不図示のバヨネット爪が配置されている。一方、カム筒１０８の内周面には、不図示の周溝が設けられている。
【００８１】
更に、カム筒１０８は、ズーム操作環１０３と連結されている。ズーム操作環１０３が回転操作されると、カム筒１０８は、バヨネット爪と周溝との嵌合によって、光軸を中心として回転する。
【００８２】
直進案内筒１０７には、鏡筒５００の回転方向への移動を規制して、光軸方向への直進を案内する直進案内溝１０７ａが形成されている。
【００８３】
また、カム筒１０８には、鏡筒５００に対応して、回転方向に角度を持つカム溝１０８ａが形成されている。
【００８４】
一方で、鏡筒５００には連結部材（以下、カムフォロワという）５２０が昇圧トランス９０２や振動波モータ５０７とは異なる位相で３位相に等分配置されており、カムフォロワ５２０は、直進案内溝１０７ａとカム溝１０８ａに係合している。
【００８５】
カムフォロワ５２０を昇圧トランス９２０や振動波モータ５０７とは異なる位相に配置することで、鏡筒５００の光軸方向のサイズを小型化することができる。
【００８６】
これによって交換レンズ１０１の光軸方向のサイズを小型化することができる。
【００８７】
ユーザがズーム操作環１０３を回転操作すると、カム筒１０８が回転し、カムフォロワ５２０は直進案内溝１０７ａとカム溝１０８ａとの係合によって、鏡筒５００を光軸方向へ進退させる。
【００８８】
同様に、その他のズーム群にも、それぞれ異なるカムフォロワ（不図示）が設けられており、各カムフォロワは、対応する直進案内溝（不図示）とカム溝（不図示）とに係合している。
【００８９】
したがって、ユーザがズーム操作環１０３を回転操作すると、カム筒１０８が回転し、カムフォロワは直進案内溝とカム溝との係合によって、それぞれのズーム群を同時に光軸方向へ進退させることになる。
【００９０】
フレキシブル基板としてのフレキシブルプリント配線板９０１は、鏡筒５００を光軸方向において進退させるため、可動屈曲部９０７ａを有し、直進案内筒１０７に保持される。
【００９１】
よって、直進案内筒１０７に保持される可動屈曲部９０７ａは、鏡筒５００の光軸方向における進退において駆動の妨げ、またはフレキシブルプリント配線板９０１自身の断線などを回避することを可能とする。
【００９２】
図８は、撮像素子１６と昇圧トランス９０２の光軸方向の位置関係を示した側面図である。
【００９３】
図８（ａ）は、交換レンズ１０１が、ズームの広角端にある状態を示し、図８（ｂ）は、ズームの望遠端にある状態を示している。
【００９４】
第１の基板９０３は、撮像素子１６と略平行に配置される。昇圧トランス９０２は、第１の基板９０３よりも常に物体側（撮像素子１６と逆側）にくるように配置される。
【００９５】
昇圧トランス９０２と撮像素子１６との距離Ｌが遠くなるように配置している。昇圧トランス９０２と撮像素子１６との距離Ｌを離すことで撮像素子１６は、漏れ磁束の影響を受けにくくなる。
【００９６】
前述したとおり、ズーム操作環１０３を操作することで各ズーム群は光軸方向へ進退し、焦点距離を変動する。
【００９７】
また、ズーム操作環１０３を回転操作すると、鏡筒５００は光軸方向において進退する。
【００９８】
すなわち、鏡筒５００に保持された昇圧トランス９０２と撮像素子１６との距離をＬとすると、焦点距離を変動する操作を行うことで、昇圧トランス９０２と撮像素子１６との距離Ｌは変化する。
【００９９】
本実施例においては、特に、焦点距離が広角側にあるときに対して、望遠側へ行くにしたがって、昇圧トランス９０２と撮像素子１６との距離Ｌが遠くなるように配置している。
【０１００】
これは、焦点距離が望遠側に行くほど開口径を確保しにくいという光学系の特徴に起因しての配慮である。
【０１０１】
すなわち、開口径を確保しにくい焦点距離が望遠側にある状態において、撮影した像が暗くなる。カメラ本体１は、撮影した像が暗くなることを補うため、撮像素子１６の感度を上げることが可能である。
【０１０２】
しかし、撮像素子１６の感度を上げるほど撮像素子１６は昇圧トランス９０２から発生する漏れ磁束の影響を受けやすくなる。焦点距離が広角端にあるときの距離Ｌ＝Ｌ１、焦点距離が望遠端にあるときの距離Ｌ＝Ｌ２とすると、Ｌ１＜Ｌ２となる。
【０１０３】
よって、焦点距離が望遠側になるほど昇圧トランス９０２と撮像素子１６との距離Ｌを離すことで撮像素子１６は、漏れ磁束の影響を受けにくくなる。
【０１０４】
よって、昇圧トランス９０２は焦点距離の変化によって光軸方向において進退する鏡筒５００に保持されることで、焦点距離が望遠側に行くほど開口径を確保しにくいことを、撮像素子１６の感度を上げて補おうとしても漏れ磁束の影響を受けにくくなる。
【０１０５】
本実施例のレンズ鏡筒１０１は、撮像素子１６に被写体像を結像させる撮像光学系を保持している。
【０１０６】
レンズ鏡筒１０１は、ズームレンズ２０１、２０２、２０３を駆動するために撮像光学系の光軸１０１ａを中心として回転可能なカム筒１０８を有する。
【０１０７】
また、ズームレンズを保持し且つカム筒１０８とカム係合し且つカム筒１０８の内周側に配置される鏡筒５００を有する。
【０１０８】
また、カム筒１０８の内周側に配置され且つアクチュエータ５０７の電源を構成する回路部品（昇圧トランス）９０２を有する。
【０１０９】
回路部品（昇圧トランス）９０２は、鏡筒の側面５００ａに配置されている。
【０１１０】
回路部品（昇圧トランス）９０２は、カム筒１０８の回転に応じて鏡筒とともに光軸方向に移動することを特徴とする。
【０１１１】
撮像光学系の焦点距離が望遠側に向かう従って、回路部品９０２と撮像素子１６との光軸方向の距離Ｌが長くなる。
【０１１２】
撮像光学系の焦点距離が長くなるに従って、回路部品９０２と撮像素子１６との光軸方向の距離Ｌが長くなる。
【０１１３】
カム筒１０８と鏡筒５００との間に配置され、ズームレンズが光軸方向に移動するために、ズームレンズの回転を抑制する案内筒１０７と、回路部品９０２に電気接続し且つ可動屈曲部９０７ａを有するフレキシブル基板９０１と、を有する。
【０１１４】
配線が重畳する重畳部である可動屈曲部９０７ａは、レンズ鏡筒の径方向について鏡筒５００と案内筒１０７との間に配置される。
【０１１５】
カム筒１０８と鏡筒５００とを連結するカムピン５２０を備え、回路部品９０２は、レンズ鏡筒の周方向についてカムピン５２０と異なる位相に配置される。
【０１１６】
回路部品９０２は、光軸方向に進退する範囲内において少なくとも一部が常にカム筒１０８の内周側に配置される。
【０１１７】
回路部品９０２は、振動波モータとしての超音波モータ５０７の電源を構成する回路部品である。
【０１１８】
前記レンズ鏡筒１０１は、撮像素子１６を有するカメラ本体に挿脱可能な交換レンズである。
【０１１９】
レンズ鏡筒１０１は、レンズ鏡筒に電圧を供給するためにカメラ本体に配置されたカメラ側端子に電気接続されるレンズ側端子と、レンズ側端子の一端が電気接続されるコネクタ部が実装される第１の基板９０３と、を有する。
【０１２０】
光軸方向についてレンズ鏡筒１０１のマウント部より被写体側に配置される第１の基板９０３と、を有する。
【０１２１】
回路部品９０２は、光軸方向について最も像面側に位置する場合、第１の基板９０３よりも物体側に位置する。
【０１２２】
次に図９を参照して、フォーカス群ユニット５５０と、フレキシブルプリント配線板９０１の関係を説明する。
【０１２３】
図９（ａ）は、フレキシブルプリント配線板９０１の形態を説明する斜視図である。フレキシブルプリント配線板９０１は、振動波モータ５０７の電源を構成する昇圧トランス９０２が実装されている実装部９０１ａを有している。
【０１２４】
フレキシブル基板としてのフレキシブルプリント配線板９０１の一部は、第１の基板９０３との接続部９０４を有している。
【０１２５】
フレキシブル基板としてのフレキシブルプリント配線板９０１の一端には、接続部９０５が設けられている部位９０１ｄを有している。
【０１２６】
フレキシブルプリント配線板９０１は、実装部９０１ａから、接続部９０５が設けられている部位９０１ｄまで、配線部９０１ｂによって一体となっている。
【０１２７】
また、フレキシブルプリント配線板９０１の部位９０１ｄとは異なる一端には、実装部９０１ｅが設けられている。
【０１２８】
実装部９０１ｅには、非接触の位置検出センサ９０８が実装されている。位置検出センサ９０８は、フォーカス駆動量を算出するために、フォーカス群５０１の位置を検出するための非接触の検出センサである。
【０１２９】
実装部９０１ａから、位置検出センサ９０８が実装されている実装部９０１ｅまでは配線部９０１ｃによって一体となっている。昇圧トランス９０２は、実装部９０１ｅの間に設けられて、それぞれ、配線部９０１ｂと配線部９０１ｃによって一体となっている。
【０１３０】
ここで、図１１は、フォーカス群ユニット５５０を第１の基板９０３側から見た斜視図である。
【０１３１】
フレキシブルプリント配線板９０１の接続部９０４は第１の基板９０３と接続されている。
【０１３２】
電気接点１０５は、一端がコネクタ部（１０５ｂ）によって、第１の基板９０３と電気接続されている。図２に示されるように、電気接点１０５は、端子１０５ａを介して、カメラ本体１の電源部１０からの電力を交換レンズ１０１に供給する。
【０１３３】
つまり、カメラ本体１から供給された電力を第１の基板９０３に設けられている接続部９０４とフレキシブルプリント配線板９０１を経由し、昇圧トランス９０２で適切な電圧として出力される。
【０１３４】
図９（ｂ）は、フォーカス群ユニット５５０と、フレキシブルプリント配線板９０１の関係を説明する斜視図である。
【０１３５】
振動波モータ５０７は、駆動に必要な第二の基板９０６を有している。フレキシブルプリント配線板９０１は、フォーカス群ユニット５５０の外側に設けられている。
【０１３６】
図８に記載のとおり、第１の基板９０３の主面は撮像素子１６と平行に配置されている。
【０１３７】
フレキシブルプリント配線板９０１の部位９０１ｄに設けられた接続部９０５は、第二の基板９０６との接続部である。
【０１３８】
フレキシブルプリント配線板９０１の実装部９０１ａから、部位９０１ｄまでの配線部９０１ｂは、図８に示される撮像素子１６と略平行で鏡筒５００の物体側（撮像素子１６と逆側）に配置される。
【０１３９】
また、配線部９０１ｂは、カムフォロア（カムピン）５２０と同位相に配置されている。フレキシブルプリント配線板９０１は、カムフォロア（カムピン）５２０を避けながらフォーカス群ユニット５５０の外側に一体的に配置される。
【０１４０】
配線部９０１ｂを鏡筒５００の物体側（撮像素子１６と逆側）に配置することで撮像素子１６は、漏れ磁束の影響を受けにくくなる。
【０１４１】
図１０（ａ）は、図９（ａ）を異なる角度からみた斜視図である。配線部９０１ｃは、フレキシブルプリント配線板９０１の実装部９０１ａから、位置検出センサ９０８が実装されている実装部９０１ｅまでの接続配線部である。
【０１４２】
配線部９０１ｃは、図８に示される撮像素子１６と略平行で鏡筒５００の物体側（撮像素子１６と逆側）に配置される。
【０１４３】
また、配線部９０１ｃは、カムフォロア（カムピン）５２０と同位相に配置されている。よってフレキシブルプリント配線板９０１は、カムフォロア５２０を避けながらフォーカス群ユニット５５０の外側に一体的に配置される。
【０１４４】
図１０（ｂ）は、第１の基板９０３とフレキシブルプリント配線板９０１の関係を示す斜視図である。第１の基板９０３の主面は図８に示される図８に示される撮像素子１６と略平行に配置されている。
【０１４５】
フレキシブルプリント配線板９０１の一部は、第１の基板９０３との接続部９０４を有している。
【０１４６】
フレキシブルプリント配線板９０１は、接続部９０４から、振動波モータ５０７の電源を構成する昇圧トランス９０２の実装部までの間に延伸部９０７ｂを介し可動屈曲部９０７ａが設けられている。
【０１４７】
図７で説明したように、鏡筒５００は、カム筒１０８が回転し、直進案内溝１０７ａとカム溝１０８ａと係合したカムフォロア（カムピン）５２０によって、光軸方向へ進退する。
【０１４８】
よって、フレキシブルプリント配線板９０１は、接続部９０４に対し可動屈曲部９０７ａが移動し延伸部９０７ｂの余長を変化させることで鏡筒５００が光軸方向へ進退することを可能にしている。接続部９０５は、第二の基板９０６との接続部である。
【０１４９】
図１２（ａ）と図１２（ｂ）は鏡筒５００が矢印の示す光軸方向で物体側に動いた際の可動屈曲部９０７ａの動きを説明する図である。
【０１５０】
図１２（ａ）はフレキシブルプリント配線板９０１の断面方向から見た図である。鏡筒５００が光軸方向で物体側に動くと可動屈曲部９０７ａも物体側に動く。
【０１５１】
この時９０７ｃは鏡筒５００とは異なる部材に保持される箇所である。図１２（ｂ）に示されるように、延伸部９０７ｂは、可動屈曲部９０７ａの移動に伴い９０７ｃが拘束された状態で９０７ｂ´側が長くなる。
【０１５２】
可動屈曲部９０７ａは、光軸方向に配線が重畳している重畳部である。
【０１５３】
よって、鏡筒５００が矢印の示す光軸方向で物体側に動くことで、昇圧トランス９０２の実装部９０１ａや位置検出センサ９０８が実装されている実装部９０１ｅなどは、鏡筒５００と共に軸方向で物体側に動く。
【０１５４】
よって、第１の基板９０３から第二の基板９０６までが回路接続される。
【０１５５】
ここで、接続部９０４までの配線長は、鏡筒５００が光軸方向へ進退するための可動屈曲部９０７ａと延伸部９０７ｂを設けるために、第二の基板９０６との接続部９０５までの配線長の方が短くなる。
【０１５６】
つまり、振動波モータ５０７から振動波モータ５０７の駆動電源を構成する昇圧トランス９０２までの配線長は、最短距離で配線されることが可能となる。
【０１５７】
以上のように、フレキシブルプリント配線板９０１は、配線部９０１ｂ、配線部９０１ｃ、によってカムフォロア５２０を避ける部位が鏡筒５００の物体側（撮像素子１６と逆側）に配置することで撮像素子１６は、漏れ磁束の影響を受けにくくなる。
【０１５８】
また、鏡筒５００に対し一体的に配置することで図５に示されるフォーカス群ユニット５５０の構成に最適な形状となる。
【０１５９】
以上、本発明の好ましい実施形態について説明したが、本発明はこれらの実施形態に限定されず、その要旨の範囲内で種々の変形および変更が可能である。
【符号の説明】
【０１６０】
１  カメラ本体
１６  撮像素子
１０１  交換レンズ
１０７  直進案内筒
１０８  カム筒
５００  鏡筒
５０１  フォーカス群
５０７  振動波モータ
５２０  カムフォロワ
５５０  フォーカス群ユニット
９０１  フレキシブルプリント配線板
９０２  昇圧トランス
９０３  第１の基板
【図１】
2020144278.tif 000003
【図２】
2020144278.tif 000004
【図３】
2020144278.tif 000005
【図４】
2020144278.tif 000006
【図５】
2020144278.tif 000007
【図６】
2020144278.tif 000008
【図７】
2020144278.tif 000009
【図８】
2020144278.tif 000010
【図９】
2020144278.tif 000011
【図１０】
2020144278.tif 000012
【図１１】
2020144278.tif 000013
【図１２】
2020144278.tif 000014